(57)【要約】【課題】回路を大きくすることなく、ウォブル信号を用いて、再生ＲＦ信号から生成したクロックと位相同期したクロックを生成できるようにする。【解決手段】光ビームの反射光を用いて、再生データを得るためのＲＦ信号を生成して、このＲＦ信号から元のデータを得るようにするとともに、再生ＲＦ信号に位相同期したクロックを生成し、このクロックを用いてデータの検出を行うようにすることにより、再生ＲＦ信号を用いてクロックを生成するためのＰＬＬ回路を用いることなく、再生データを検出できるようになる前にアドレス情報を取得できるようにする。【選択図】  図１
2009170004.tif 000002
【特許請求の範囲】
【請求項１】
所定の周期で蛇行するトラックが形成された光ディスクからデータを再生する光ディスク装置であって、
前記光ディスクで反射された光ビームの反射光から再生ＲＦ信号を生成するとともに、前記トラックの蛇行周期に関連した周波数を有するウォブル信号を生成する生成手段と、
前記再生ＲＦ信号から再生クロックを生成する再生クロック生成手段と、
前記再生クロックから内部キャリア信号を生成する内部キャリア信号生成手段と、
前記内部キャリア信号と前記ウォブル信号との位相を同期させる位相同期手段と、
前記位相同期手段の出力信号に基づいて、前記光ディスクのアドレス情報を検出するための検出用キャリア信号を発生させる検出用キャリア信号発生手段とを備えることを特徴とする光ディスク装置。
【請求項２】
所定の周期で蛇行するトラックが形成された光ディスクからデータを再生する光ディスク装置であって、
前記光ディスク上に形成されたトラックに光ビームを照射する光ビーム照射手段と、
前記光ビーム照射手段から照射され、前記光ディスクで反射された光ビームの反射光を用いて再生ＲＦ信号を生成する再生ＲＦ信号生成手段と、
前記再生ＲＦ信号生成手段により生成されたＲＦ信号に位相同期した第１のクロックを生成するクロック生成手段と、
前記光ビームの反射光を用いて前記トラックの蛇行周期に関連した周波数を有するウォブル信号を生成するウォブル信号生成手段と、
前記第１のクロックをカウントし、前記ウォブル信号の周波数に対応した周波数の第２のクロックを生成するカウント手段と、
前記ウォブル信号と前記第２のクロックとの位相差を検出し、前記位相差に基づいて前記第１のクロックと第２のクロックの位相が同期するよう前記カウント手段の値をシフトする位相シフト手段と、
前記ウォブル信号と前記第２のクロックとを用いて前記光ディスクのアドレス情報を検出するアドレス情報検出手段とを備えることを特徴とする光ディスク装置。
【請求項３】
前記アドレス情報検出手段は、前記第２のクロックを用いて前記ウォブル信号に対応する周波数のウォブルキャリア信号を生成する手段と、前記ウォブル信号と前記ウォブルキャリア信号とを乗算する乗算手段とを有し、前記乗算手段の出力を用いて前記アドレス情報を検出することを特徴とする請求項２に記載の光ディスク装置。
【請求項４】
前記ウォブル信号を所定の閾値と比較して２値信号を生成する手段と、前記２値信号の立ち上がりまたは立ち下がりエッジに応じて前記カウント手段をリセットする手段とを備えたことを特徴とする請求項２または３に記載の光ディスク装置。
【請求項５】
所定の周期で蛇行するトラックが形成された光ディスクからデータを再生する光ディスク装置の制御方法であって、
前記光ディスクで反射された光ビームの反射光から再生ＲＦ信号を生成するとともに、前記トラックの蛇行周期に関連した周波数を有するウォブル信号を生成する生成工程と、
前記再生ＲＦ信号から再生クロックを生成する再生クロック生成工程と、
前記再生クロックから内部キャリア信号を生成する内部キャリア信号生成工程と、
前記内部キャリア信号と前記ウォブル信号との位相を同期させる位相同期工程と、
前記位相同期工程の出力信号に基づいて、前記光ディスクのアドレス情報を検出するための検出用キャリア信号を発生させる検出用キャリア信号発生工程とを備えることを特徴とする光ディスク装置の制御方法。
【請求項６】
所定の周期で蛇行するトラックが形成された光ディスクからデータを再生する光ディスク装置の制御方法であって、
前記光ディスク上に形成されたトラックに光ビームを照射する光ビーム照射工程と、
前記光ビーム照射工程において照射され、前記光ディスクで反射された光ビームの反射光を用いて再生ＲＦ信号を生成する再生ＲＦ信号生成工程と、
前記再生ＲＦ信号生成工程において生成されたＲＦ信号に位相同期した第１のクロックを生成するクロック生成工程と、
前記光ビームの反射光を用いて前記トラックの蛇行周期に関連した周波数を有するウォブル信号を生成するウォブル信号生成工程と、
前記第１のクロックをカウントし、前記ウォブル信号の周波数に対応した周波数の第２のクロックを生成するカウント工程と、
前記ウォブル信号と前記第２のクロックとの位相差を検出し、前記位相差に基づいて前記第１のクロックと第２のクロックの位相が同期するよう前記カウント工程の値をシフトする位相シフト工程と、
前記ウォブル信号と前記第２のクロックとを用いて前記光ディスクのアドレス情報を検出するアドレス情報検出工程とを備えることを特徴とする光ディスク装置の制御方法。
【請求項７】
前記アドレス情報検出工程においては、前記第２のクロックを用いて前記ウォブル信号に対応する周波数のウォブルキャリア信号を生成する工程と、前記ウォブル信号と前記ウォブルキャリア信号とを乗算する乗算工程とを有し、前記乗算工程の出力を用いて前記アドレス情報を検出することを特徴とする請求項６に記載の光ディスク装置の制御方法。
【請求項８】
前記ウォブル信号を所定の閾値と比較して２値信号を生成する工程と、前記２値信号の立ち上がりまたは立ち下がりエッジに応じて前記カウント工程のカウンタ値をリセットする工程とを備えたことを特徴とする請求項６または７に記載の光ディスク装置の制御方法。
【請求項９】
所定の周期で蛇行するトラックが形成された光ディスクからデータを再生する光ディスク装置を制御する工程をコンピュータに実行させるプログラムであって、
前記光ディスクで反射された光ビームの反射光から再生ＲＦ信号を生成するとともに、前記トラックの蛇行周期に関連した周波数を有するウォブル信号を生成する生成工程と、
前記再生ＲＦ信号から再生クロックを生成する再生クロック生成工程と、
前記再生クロックから内部キャリア信号を生成する内部キャリア信号生成工程と、
前記内部キャリア信号と前記ウォブル信号との位相を同期させる位相同期工程と、
前記位相同期工程の出力信号に基づいて、前記光ディスクのアドレス情報を検出するための検出用キャリア信号を発生させる検出用キャリア信号発生工程とをコンピュータに実行させることを特徴とするプログラム。
【請求項１０】
所定の周期で蛇行するトラックが形成された光ディスクからデータを再生する光ディスク装置を制御する工程をコンピュータに実行させるプログラムであって、
前記光ディスク上に形成されたトラックに光ビームを照射する光ビーム照射工程と、
前記光ビーム照射工程において照射され、前記光ディスクで反射された光ビームの反射光を用いて再生ＲＦ信号を生成する再生ＲＦ信号生成工程と、
前記再生ＲＦ信号生成工程において生成されたＲＦ信号に位相同期した第１のクロックを生成するクロック生成工程と、
前記光ビームの反射光を用いて前記トラックの蛇行周期に関連した周波数を有するウォブル信号を生成するウォブル信号生成工程と、
前記第１のクロックをカウントし、前記ウォブル信号の周波数に対応した周波数の第２のクロックを生成するカウント工程と、
前記ウォブル信号と前記第２のクロックとの位相差を検出し、前記位相差に基づいて前記第１のクロックと第２のクロックの位相が同期するよう前記カウント工程の値をシフトする位相シフト工程と、
前記ウォブル信号と前記第２のクロックとを用いて前記光ディスクのアドレス情報を検出するアドレス情報検出工程とをコンピュータに実行させることを特徴とするプログラム。
【請求項１１】
請求項９または１０に記載のプログラムを記憶したことを特徴とするコンピュータ読み取り可能な記憶媒体。
【発明の詳細な説明】
【技術分野】
【０００１】
本発明は光ディスク装置及び光ディスク装置の制御方法に関し、特に、光ビームを光ディスクに照射してデータを再生する装置に用いて好適な技術に関する。
【背景技術】
【０００２】
従来、ＤＶＤ（Digital-Video-Disc）やブルーレイ光ディスク（ＢＤ）等の光ディスクに対して映像や音声データを記録再生する装置が知られている。例えば、ＢＤでは、その製造段階であらかじめ光ディスク平面の内周から外周に向けて、あるいは外周から内周に向けてスパイラル状の案内溝が設けられている。
【０００３】
この案内溝は、基本的には、所定の振幅と単一の蛇行周期をもってそれ自身が微小にうねっており（揺動している）、これをウォブル（Ｗｏｂｂｌｅ）と呼んでいる。このように、光ディスク上に形成されたウォブルに対して光ビームを照射することで、データの書き込み及び読み出しを実現している。
【０００４】
また、光ビームをウォブルに照射した際の反射光から基準周波数信号を生成し、これを記録・再生時のクロックとして使用し、記録に用いる基準周波数信号を精度良く生成するようにしている。また、ＢＤでは、単一周波数の連続するウォブルに対し、ある特定の変調を施したウォブル信号を埋め込んでいる。これにより、タイミング情報や光ディスク上の物理的な位置情報(物理アドレス情報、以後ＡＤＩＰアドレスと呼ぶ)を光ディスク上から検出できるようになっている。
【０００５】
また、再生時においては、光ビームの反射光を用いて、再生データを得るためのＲＦ信号を生成して、このＲＦ信号から元のデータを得るようにしている。この際に、再生ＲＦ信号に位相同期したクロックを生成し、このクロックを用いてデータの検出を行っている。
【０００６】
一方、記録時においては、光ディスクにデータが記録されていないため、再生ＲＦ信号を用いてクロックを生成することができない。そのため、前記のウォブル信号を使ってクロックを生成し、データを記録するようにしている。
【０００７】
このような光ディスクに対して、データの記録再生を行う記録光ディスク装置において、再生中にピックアップを現在の再生位置とは異なる位置に移動させ、移動先で新たにデータの再生を行う場合がある。例えば、ある映像を再生中に、スキップの指示があると、スキップ先のデータの記録位置までピックアップを移動させなければならない。
【０００８】
このような場合、移動先において、再生ＲＦ信号から得られたデータ中に光ディスク上のアドレスが含まれているが、前述のように、移動先でクロックを取得して再生データを検出できるようになるまではアドレス情報を取得することができない。
【０００９】
そこで、再生時においても、ウォブル信号を用いてアドレス情報を検出できるようにすることが有効である。これを実現するためには、再生中であってもウォブル信号からクロックを取得できるように構成する必要がある。例えば、特許文献１では、再生ＲＦ信号を用いてクロックを生成するためのＰＬＬ回路と、ウォブル信号を用いてクロックを生成するＰＬＬ回路の両方を備えた装置が提示されている。
【００１０】
【特許文献１】特開２００２−２９８３６７号公報
【発明の開示】
【発明が解決しようとする課題】
【００１１】
特許文献１に記載の光ディスクドライブ装置では、再生ＲＦ信号用のＰＬＬ回路及びウォブル信号用のＰＬＬ回路を具備しなければならない。また、ウォブルによる外乱要素を避ける回路が必要である。したがって、ウォブル信号を用いてアドレス情報を検出できるように構成すると、回路面積や消費電力が大きくなるという問題点があった。
【００１２】
本発明は前述の問題点に鑑み、再生ＲＦ信号から生成したクロックと位相同期したクロックをウォブル信号を用いて生成できるようにすることを目的としている。
【課題を解決するための手段】
【００１３】
本発明の光ディスク装置は、所定の周期で蛇行するトラックが形成された光ディスクからデータを再生する光ディスク装置であって、前記光ディスクで反射された光ビームの反射光から再生ＲＦ信号を生成するとともに、前記トラックの蛇行周期に関連した周波数を有するウォブル信号を生成する生成手段と、前記再生ＲＦ信号から再生クロックを生成する再生クロック生成手段と、前記再生クロックから内部キャリア信号を生成する内部キャリア信号生成手段と、前記内部キャリア信号と前記ウォブル信号との位相を同期させる位相同期手段と、前記位相同期手段の出力信号に基づいて、前記光ディスクのアドレス情報を検出するための検出用キャリア信号を発生させる検出用キャリア信号発生手段とを備えることを特徴とする。
また、本発明の光ディスク装置の他の特徴とするところは、所定の周期で蛇行するトラックが形成された光ディスクからデータを再生する光ディスク装置であって、前記光ディスク上に形成されたトラックに光ビームを照射する光ビーム照射手段と、前記光ビーム照射手段から照射され、前記光ディスクで反射された光ビームの反射光を用いて再生ＲＦ信号を生成する再生ＲＦ信号生成手段と、前記再生ＲＦ信号生成手段により生成されたＲＦ信号に位相同期した第１のクロックを生成するクロック生成手段と、前記光ビームの反射光を用いて前記トラックの蛇行周期に関連した周波数を有するウォブル信号を生成するウォブル信号生成手段と、前記第１のクロックをカウントし、前記ウォブル信号の周波数に対応した周波数の第２のクロックを生成するカウント手段と、前記ウォブル信号と前記第２のクロックとの位相差を検出し、前記位相差に基づいて前記第１のクロックと第２のクロックの位相が同期するよう前記カウント手段の値をシフトする位相シフト手段と、前記ウォブル信号と前記第２のクロックとを用いて前記光ディスクのアドレス情報を検出するアドレス情報検出手段とを備えることを特徴とする。
【００１４】
本発明の光ディスク装置の制御方法は、所定の周期で蛇行するトラックが形成された光ディスクからデータを再生する光ディスク装置の制御方法であって、前記光ディスクで反射された光ビームの反射光から再生ＲＦ信号を生成するとともに、前記トラックの蛇行周期に関連した周波数を有するウォブル信号を生成する生成工程と、前記再生ＲＦ信号から再生クロックを生成する再生クロック生成工程と、前記再生クロックから内部キャリア信号を生成する内部キャリア信号生成工程と、前記内部キャリア信号と前記ウォブル信号との位相を同期させる位相同期工程と、前記位相同期工程の出力信号に基づいて、前記光ディスクのアドレス情報を検出するための検出用キャリア信号を発生させる検出用キャリア信号発生工程とを備えることを特徴とする。
また、本発明の光ディスク装置の制御方法の他の特徴とするところは、所定の周期で蛇行するトラックが形成された光ディスクからデータを再生する光ディスク装置の制御方法であって、前記光ディスク上に形成されたトラックに光ビームを照射する光ビーム照射工程と、前記光ビーム照射工程において照射され、前記光ディスクで反射された光ビームの反射光を用いて再生ＲＦ信号を生成する再生ＲＦ信号生成工程と、前記再生ＲＦ信号生成工程において生成されたＲＦ信号に位相同期した第１のクロックを生成するクロック生成工程と、前記光ビームの反射光を用いて前記トラックの蛇行周期に関連した周波数を有するウォブル信号を生成するウォブル信号生成工程と、前記第１のクロックをカウントし、前記ウォブル信号の周波数に対応した周波数の第２のクロックを生成するカウント工程と、前記ウォブル信号と前記第２のクロックとの位相差を検出し、前記位相差に基づいて前記第１のクロックと第２のクロックの位相が同期するよう前記カウント工程の値をシフトする位相シフト工程と、前記ウォブル信号と前記第２のクロックとを用いて前記光ディスクのアドレス情報を検出するアドレス情報検出工程とを備えることを特徴とする。
【００１５】
本発明のプログラムは、所定の周期で蛇行するトラックが形成された光ディスクからデータを再生する光ディスク装置を制御する工程をコンピュータに実行させるプログラムであって、前記光ディスクで反射された光ビームの反射光から再生ＲＦ信号を生成するとともに、前記トラックの蛇行周期に関連した周波数を有するウォブル信号を生成する生成工程と、前記再生ＲＦ信号から再生クロックを生成する再生クロック生成工程と、前記再生クロックから内部キャリア信号を生成する内部キャリア信号生成工程と、前記内部キャリア信号と前記ウォブル信号との位相を同期させる位相同期工程と、前記位相同期工程の出力信号に基づいて、前記光ディスクのアドレス情報を検出するための検出用キャリア信号を発生させる検出用キャリア信号発生工程とをコンピュータに実行させることを特徴とする。
また、本発明のプログラムの他の特徴とするところは、所定の周期で蛇行するトラックが形成された光ディスクからデータを再生する光ディスク装置を制御する工程をコンピュータに実行させるプログラムであって、前記光ディスク上に形成されたトラックに光ビームを照射する光ビーム照射工程と、前記光ビーム照射工程において照射され、前記光ディスクで反射された光ビームの反射光を用いて再生ＲＦ信号を生成する再生ＲＦ信号生成工程と、前記再生ＲＦ信号生成工程において生成されたＲＦ信号に位相同期した第１のクロックを生成するクロック生成工程と、前記光ビームの反射光を用いて前記トラックの蛇行周期に関連した周波数を有するウォブル信号を生成するウォブル信号生成工程と、前記第１のクロックをカウントし、前記ウォブル信号の周波数に対応した周波数の第２のクロックを生成するカウント工程と、前記ウォブル信号と前記第２のクロックとの位相差を検出し、前記位相差に基づいて前記第１のクロックと第２のクロックの位相が同期するよう前記カウント工程の値をシフトする位相シフト工程と、前記ウォブル信号と前記第２のクロックとを用いて前記光ディスクのアドレス情報を検出するアドレス情報検出工程とをコンピュータに実行させることを特徴とする。
【発明の効果】
【００１６】
本発明によれば、再生ＲＦ信号を用いて物理的な位置情報を検出するための再生クロックを生成するようにしたので、ウォブルＰＬＬからのクロックを利用して再生クロックを生成する場合に比べて、ウォブルによる外乱要素を排除することができる。また、ＶＣＯを一つ設けるだけで再生クロックを取得することが可能なので、回路面積や消費電力の低減化及び簡易化を図ることができる。
また、本発明の他の特徴によれば、再生中にＡＤＩＰアドレス検出のために必要なウォブル信号と内部キャリア信号との位相同期を取ることができるため、再生モードで動作中にアドレスリードを行うことができる。
【発明を実施するための最良の形態】
【００１７】
（第１の実施形態）
次に、本発明の光ディスク装置の実施形態を図面を参照しながら説明する。
図２は、記録動作時においてＡＤＩＰアドレス検出方法を説明するために必要な主要な機能の構成例を示すブロック図である。
図２に示したように、光ピックアップ２０４内に配設された光発生装置２０２から発せられたレーザー光は光ディスク２０１で反射する。そして、光ディスク２０１からの反射光を光ピックアップ２０４内に配設された光検出装置２０３により検出する。
【００１８】
光検出装置２０３は、受光量に応じた電流量を出力する光電変換素子を用いて構成されていて、入力された反射光の強さに応じた電流を出力する。光検出装置２０３により電流変換された信号は、図示しないＩ/Ｖアンプにより電流ー電圧変換され、光ピックアップ２０４から出力される。この出力信号に対して適当な信号処理を行うことにより、ＲＦ信号、フォーカスエラー信号、トラッキングエラー信号、ウォブル信号生成を行う。
【００１９】
図２の例では、光ピックアップ２０４の出力信号をウォブル検出回路２０５に入力し、出力信号に対してウォブル検出回路２０５において適切な信号処理を行い、ウォブル信号として出力している。
【００２０】
ウォブル検出回路２０５から出力されたウォブル信号は、レベル調整部２０６でゲイン調整され、その後、低域通過フィルター（ＬＰＦ）２０７により適切な帯域制限が行われる。その後、アナログーデジタル変換器（Ａ／Ｄ変換器）２０８によりデジタル信号化された後、ハイパスフィルタ（ＨＰＦ）２０９によりＤＣ成分を除去され、その後、ＰＬＬ回路２１０に供給される。
【００２１】
ＰＬＬ回路２１０は、位相比較部２１１、ループフィルター２１４、ＶＣＯ(電圧制御発振器)２１５、ＶＣＯ２１５から出力されるクロックにより、カウントアップするキャリア生成カウンタ(０〜Ｎカウンタ)２１６、キャリア発生テーブル２１７からなる。キャリア発生テーブル２１７は、キャリア生成カウンタ２１６のカウンタ値にもとづいて特定の値を位相比較部２１１に出力する。
【００２２】
ＰＬＬ回路２１０内の位相比較部２１１では、キャリア発生テーブル２１７より発生した内部発生キャリア２１８と入力ウォブル信号との位相を比較している。位相比較部２１１は乗算器２１２と低域通過フィルター（ＬＰＦ）２１３とから構成されておいる。例えば、入力ウォブル信号を余弦波ＣＯＳ(ωt)でモデリングし、内部発生キャリアとして正弦波ＳＩＮ(ωt＋Φ)とすると、ＰＬＬの正常な動作時には、「Φ＝０」の入力ウォブル信号に対して直交した内部キャリアが常に生成される。
【００２３】
次に、ＡＤＩＰアドレスを検出する方法の流れを図４を参照しながら説明する。
まず、光ディスク２０１に形成されたウォブルに信号を埋め込む方法として、図４（ｂ）に示すように、例えばＭＳＫ（Minimum Shift Keying）信号と呼ばれる方法がある。これは、図４（ａ）に示すウォブル信号に対して周波数が同じで、位相が１８０度回転した信号を局所的に埋め込む方法である。
【００２４】
また、図４（ｅ）、（ｈ）に示されるように、ウォブル信号に対して２倍の周波数を有する。そして、９０度位相のずれた信号を加算、減算するＨＭＷ（High Frequency Modulated grooves (ＳＴＷ：Saw Tooth Wobble)）と呼ばれる方法が知られている。
【００２５】
図４（ａ）に示された基本ウォブル信号をＣＯＳ(ωｔ)でモデリングした場合、ＭＳＫ信号とＨＭＷ(ＳＴＷ)信号はそれぞれ数学的に、
Ｗｏｂｂｌｅ：ＣＯＳ(ωｔ)
ＭＳＫ      ：ＣＯＳ(ωｔ+π)
ＨＭＷ      ：ＣＯＳ(ωｔ)±a×ＳＩＮ(２ωｔ)
と示される。
【００２６】
ウォブルに埋め込まれたこのＭＳＫ信号とＨＭＷ(ＳＴＷ)信号を検出する方法としては、例えば、ヘテロダイン検波を用いる方法が考えられる。
ＭＳＫ検出のヘテロダイン検波では、ＣＯＳ(ωｔ)でモデリングされたウォブル基本信号（図４（ａ）の基本ウォブル）に対し、周波数・位相の同期したキャリア信号ＣＯＳ(ωｔ) 図４（ｃ）を内部生成する。そして、ＭＳＫ信号に乗算し、適当な低域通過フィルター処理(ＬＰＦ)を施すことで、図４（ｅ）の信号を得ることができる。この信号を、例えばある閾値で２値化、あるいはピーク検出を行うことでＭＳＫ信号を検出する。
【００２７】
ＨＭＷ(ＳＴＷ)検出のヘテロダイン検波では、ＣＯＳ(ωｔ)でモデリングされたウォブル基本信号（図４（ａ））に対し、周波数２倍で位相が同期したキャリア信号ＳＩＮ(２ωｔ)（図４(ｇ)）を内部生成する。そして、ＨＭＷ(ＳＴＷ)信号に乗算し、適当な低域通過フィルター処理(ＬＰＦ)を施すことで、図４（ｉ）の信号を得ることができる。
【００２８】
ＨＭＷ(ＳＴＷ)では、基本ウォブル信号に２倍の周波数で９０度位相のずれた信号を加算したのか減算したのかにより、図４（ｉ）と図４（ｍ）に見られるように、検出される信号の極性が異なる。この極性の違いをデータ"０"とデータ"１"の区別に用いる。
【００２９】
このように、キャリア発生テーブル２１７により、ウォブル信号の周波数を持つウォブルキャリア信号（第２のクロック信号）を生成する。そして、ＣＯＳ波発生部２２０、２倍周波数ＳＩＮ波発生器２２５にそれぞれ供給し、前記のＭＳＫ信号、ＨＭＷ信号に応じた周波数の信号を生成する。
【００３０】
そして、これらの信号を乗算器２２１、２２６によりウォブル信号にそれぞれ乗算し、ヘテロダイン検波し、その結果をＬＰＦ２２２、２２７を介して積算器２２３、２２８に送る。
【００３１】
積算器２２３、２２８の積算結果を、タイミング発生器２１９から指定されたタイミングにおいて読み出し、サンプルホールド部（Ｓ／Ｈ部）２２４、２２９においてサンプリングしてアドレス検出部２３０に送る。アドレス検出部２３０は、サンプルホールド部２２４、２２９からの出力に基づいて、データの"１"、"０"を判定し、アドレス情報検出を行う。
【００３２】
次に、本実施形態の課題である、再生時のＡＤＩＰアドレス再生に関して説明する。
図１に、本実施形態の光ディスク装置において、再生時に使用する主要な構成を示す。
まず、再生時におけるＶＣＯ(電圧制御発振器)１１２を、ＲＦ信号に基づいて動作させることを説明する。なお、図１〜図３において、各々のブロックに付している符号が異なっていても、名称が同じブロックについては、同じブロックである。例えば、図１に示したＶＣＯ１１２と、図２に示したＶＣＯ２１５とは同一のものである。
【００３３】
記録時と同じように、光ピックアップ１０４内に設けられている光発生装置１０２から光ビーム照射を行う。光発生装置１０２から発せられたレーザー光は光ディスク１０１で反射する。そして、光ディスク１０１からの反射光が光ピックアップ１０４内の光検出装置１０３により検出される。本実施形態においては、光ディスク１０１には、所定の周期で蛇行するトラックが形成されている。
【００３４】
光検出装置１０３は、受光量に応じた電流量を出力する光電変換素子と、電流ー電圧変換を行うＩ/Ｖアンプ等を有している。光検出装置１０３の出力信号に対し適当な信号処理を行うことで、ＲＦ信号、フォーカスエラー信号、トラッキングエラー信号、ウォブル信号を生成する。
【００３５】
図１では、光検出装置１０３から出力される信号に対し、ＲＦ検出回路１０５でＲＦ信号を検出する。ＲＦ検出回路１０５で検出されたＲＦ信号は、レベル調整部１０６でゲイン調整される。その後、低域通過フィルター（ＬＰＦ）１０７により適切な帯域制限を行ったあと、アナログーデジタル変換器（Ａ／Ｄ変換器）１０８によりデジタル信号化され、波形等化器１０９により波形調整される。その後、位相比較部１１０、ループフィルター１１１、ＶＣＯ１１２により形成されるＲＦ―ＰＬＬ（再生ＰＬＬ回路）に出力され、再生クロックが生成される（第１のクロック生成）。このようにして生成された再生クロックに基づいて、記録時と同じようにキャリア生成カウンタ（０〜Ｎカウンタ）１２５を動作させる。
【００３６】
図１において、１１３はデータ判定部、１１４は復調部、１１５はコード終了を示すＥＯＣ (End Of Code)コードである。また、１１６はウォブル検出回路、１１７はレベル調整部、１１８はローパスフィルタ（ＬＰＦ）、１１９はＡ／Ｄ変換器、１２０はハイパスフィルタ（ＨＰＦ）である。１２１はウォブル信号を所定の閾値と比較して２値信号を生成する２値化回路、１２２はエッジ検出部、１２３は位相検出部、１２４は位相シフト回路、１２５は０〜Ｎ迄カウンとするキャリア生成カウンタである。また、１２６は検出用キャリア信号発生を行うキャリア発生テーブルであり、ＭＳＫ、ＨＭＷ（ＳＴＷ）検出用キャリア信号１２７を発生する。１２８はアドレス検出部である。
【００３７】
図５（ａ）に示される波形が再生クロックである。この再生クロックによりキャリア生成カウンタ１２５が動作して、図５（ｂ）に示されるカウンタ信号が出力される。そして、そのカウンタ値がキャリア発生テーブル１２６に入力され、キャリア発生テーブル１２６から図５（ｃ）に示されるキャリアが出力される。この時、図５（ｃ）のキャリアと図５（ｄ）に示される入力ウォブル信号とは周波数が一致しているが、その位相が同期している補償はない。例えば、図５（ｃ）と図５（ｄ）との関係のように、位相がずれる場合がある。
【００３８】
本実施形態では、このキャリアと入力ウォブル信号との位相を同期させるために、図５（ｄ）に示される入力ウォブル信号を所定の閾値と比較することにより２値化回路１２１で２値化して、図５（ｅ）に示す信号を生成する。そして、図５（ｆ）に示す立ち上がりエッジ信号においてキャリア生成カウンタ１２５をリセットする。これにより、キャリア生成カウンタ１２５は図５(ｇ)に示すように、入力ウォブル信号の立ち上がりエッジ毎にカウント値がリセットされる。この動作により、図５（ｄ）の入力ウォブル信号に同期したキャリア図５（ｈ）を発生させている。
【００３９】
また、本実施形態ではキャリア生成カウンタ１２５のリセットにより、入力ウォブル信号とキャリアとを位相同期させた後に、図５(ｇ)の内部カウンタに基づいて位相ロック検出を行う。つまり、図５(ｇ)の内部カウンタの特定のタイミングであるクロック期間の間、窓を開くようなエッジ検出窓、図５（ｉ）を生成する。そして、そのエッジ検出窓の中にウォブルの立ち上がり信号（ｆ）が検出できるか否かを監視する。この位相ロック検出部において、位相ロック状態が検出されている場合では、前述したカウンターリセットの動作は行わない。
【００４０】
これに対し、光ディスク１０１の上の傷やゴミ等により再生信号の欠陥が一時的に生じたことにより、結果として、再生ＰＬＬ回路の動作が乱れて再生クロックの乱れが生じる場合がある。入力ウォブル信号と内部発生キャリアとの位相が大きくずれる場合、位相ロック検出部において位相非ロック状態を検出する。そして、入力ウォブル信号の立ち上がりエッジに基づいたカウンターリセット動作を再度行う。
【００４１】
前述したのは、再生クロックが一時的に大きく乱れ、瞬時にして入力ウォブル信号と内部発生キャリアとの位相が大きくずれた場合である。これに対し、温度変化や時間経過に伴う再生信号の時間的揺らぎにより、入力ウォブル信号と内部発生キャリアとの位相差が徐々にずれる場合が考えられる。
【００４２】
このような場合に対し、本実施形態では、入力ウォブル信号の立ち上がりエッジと内部カウンタの特定タイミングと発生した位相差を用いて、位相調整を行う。例えば、入力ウォブル信号の立ち上がりエッジと内部カウンタが０のタイミングでの時間差を検出し、その検出量に対して適当なフィルターを通して平均化した後、位相シフト量として内部カウンタ値にフィードバックする。
【００４３】
前述した動作において、入力ウォブル信号にＭＳＫ信号が埋め込まれた箇所では誤動作する可能性がある。この理由は、図６（ｂ）に見られるように、ＭＳＫ信号部では基本ウォブル信号に対して立ち上がりエッジのタイミングが異なるためであり、ＭＳＫにより検出したタイミングでカウンターリセットを行うと誤ったカウンタ動作を行うことになる。
【００４４】
また、正常に位相同期している場合でもＭＳＫ信号部においては、図６（ｃ）の位相ロック検出窓において立ち上がりエッジを検出できないため、位相ロック検出回路が、位相非ロック状態と認識してしまうことも考えられる。このような理由からＭＳＫ信号部のみカウンターリセットや位相ロック検出、位相調整動差を行わないようにする必要がある。
【００４５】
このため、本実施形態では立ち上がりエッジから立ち上がりエッジ間の時間差を見ることでＭＳＫ信号の検出を行い、ＭＳＫ信号時にはカウンターリセットや位相ロック検出、位相調整動差を行わないようにする。
【００４６】
図３は、これら一連の動作を実行する機能ブロックの一例を示すブロック図である。入力ウォブル信号３０１を２値化部３０２で２値化し、立ち上がりエッジ検出部３０３で立ち上がりエッジタイミングを検出する。
【００４７】
一方、ＲＦ再生クロック３０４により、キャリア生成カウンタ（０〜Ｎカウンタ）３０５を動作させる。そして、キャリア生成カウンタ３０５のある特定値で検出窓を生成するエッジ検出窓生成部３０６において立ち上がり検出窓を生成し、この検出窓内に立ち上がりエッジが検出できない場合、位相ロック検出部３０７より位相非ロック信号が出力される。
【００４８】
この位相非ロック信号が出力されている間、カウンターリセット部３０８は立ち上がりエッジ検出部３０３からの信号でキャリア生成カウンタ３０５をリセットする。また、キャリア生成カウンタ３０５のカウンタ値からキャリア信号を２値化した際の立ち上がりエッジのタイミングを求め、キャリアエッジタイミング生成部３０９によりそのタイミング信号を出力する。
【００４９】
位相誤差検出部３１０は、立ち上がりエッジ検出部３０３からのウォブル信号の立ち上がりエッジタイミングとキャリアエッジタイミング生成部３０９から発生したキャリアの立ち上がりエッジとの位相誤差量を検出する。位相誤差検出部３１０からの位相誤差信号はフィルター３１１により平均化され、位相シフト量３１２としてキャリア生成カウンタ３０５に反映される。
【００５０】
図３において、３１３は２値化ウォブル信号の立ち上がりエッジ間の時間をカウントするエッジ間カウンターであり、カウント量よりＭＳＫ信号部と判断した場合は、位相ロック検出部３０７と位相誤差検出部３１０の動作をホールドする。
【００５１】
次に、図７のフローチャートを参照しながら、再生ＲＦ信号を用いて物理的な位置情報を検出するための再生クロックを生成する手順の一例を説明する。
動作が開始されると、先ず、ステップＳ７１において、光ピックアップ１０４内に設けられている光発生装置１０２からレーザー光を光ディスク１０１に向けて照射する。光発生装置１０２から照射されたレーザー光は、光ディスク１０１で反射する。
【００５２】
次に、ステップＳ７２において、光ディスク１０１からの反射光が光ピックアップ１０４内の光検出装置１０３により検出される。光検出装置１０３は、検出した反射光の受光量に応じた大きさの信号を出力する。
【００５３】
次に、ステップＳ７３に進み、前述したように、光検出装置１０３から出力された出力信号に対し、適当な信号処理を行い、再生ＲＦ信号生成を行う。また、トラックの蛇行周期に関連した周波数を有するウォブル信号を生成する。次に、ステップＳ７４に進み、再生ＲＦ信号から再生クロックを生成する。
【００５４】
次に、ステップＳ７５に進み、ステップＳ７４において生成された再生クロックに基づいて、内部キャリア信号生成を行う。内部キャリア信号生成は、記録時と同じようにキャリア生成カウンタ（０〜Ｎカウンタ）１２５を動作させて行う。
【００５５】
次に、ステップＳ７６に進み、ステップＳ７５において生成した内部キャリア信号と入力ウォブル信号とを同期させる。これらの信号の同期は、ＶＣＯ１１２から出力される内部キャリア信号と入力ウォブル信号とをキャリア生成カウンタ１２５に入力して行う。入力ウォブル信号は、ウォブル検出回路１１６、レベル調整部１１７、ＬＰＦ１１８、Ａ／Ｄ変換器１１９、ＨＰＦ１２０、２値化回路１２１、エッジ検出部１２２、位相検出部１２３、位相シフト回路１２４を介してキャリア生成カウンタ１２５に供給される。
【００５６】
次に、ステップＳ７７に進み、ＭＳＫ信号、ＨＭＷ（ＳＴＷ）を発生させる。これらの信号の発生手順は、前述した通りである。
【００５７】
本実施形態においては、再生ＲＦ信号を用いて物理的な位置情報を検出するための再生クロック生成を行うようにした。これにより、ウォブルＰＬＬからのクロックを利用して再生クロックを生成する場合に比べて、ウォブルによる外乱要素を排除することができる。また、ＶＣＯを一つ設けるだけで再生クロックを取得することができるので、回路面積や消費電力の低減化及び簡易化を図ることができる。さらに、再生中にＡＤＩＰアドレス検出のために必要なウォブル信号と内部キャリア信号との位相同期を取ることができるようになるので、再生モードで動作中にアドレスリードを行うことができる。
【００５８】
なお、前述した説明では、入力ウォブル波形の立ち上がりエッジを用いて動作を行っていたが立ち下りエッジをもちいてもよい。または立ち上がりエッジ、及び立ち下りエッジの両方を用いて動作をさせるようにしてもよい。
【００５９】
なお、前述した説明では、再生時に使用する主要な機能を説明するために図１を示し、記録時に使用する主要な機能を説明するために図２を示し、再生時に使用する構成のうちの、要部の構成を説明するために図３を示した。しかし、これらの各機能は１つの記録光ディスク装置に設けられているものであり、前述したように、番号が違っていても同じ名称のブロックは同じ機能を果たすものである。
【００６０】
（本発明に係る他の実施の形態）
前述した本発明の実施の形態における光ディスク装置を構成する各手段は、コンピュータのＲＡＭやＲＯＭなどに記憶されたプログラムが動作することによって実現できる。このプログラム及び前記プログラムを記録したコンピュータ読み取り可能な記録媒体は本発明に含まれる。
【００６１】
また、本発明は、例えば、システム、装置、方法、プログラムもしくは記憶媒体等としての実施の形態も可能であり、具体的には、複数の機器から構成されるシステムに適用してもよいし、また、一つの機器からなる装置に適用してもよい。
【００６２】
なお、本発明は、前述した光ディスク装置の制御方法における各工程を実行するソフトウェアのプログラム（実施の形態では図７に示すフローチャートに対応したプログラム）を、システムあるいは装置に直接、あるいは遠隔から供給する。そして、そのシステムあるいは装置のコンピュータが前記供給されたプログラムコードを読み出して実行することによっても達成される場合を含む。
【００６３】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００６４】
その場合、プログラムの機能を有していれば、オブジェクトコード、インタプリタにより実行されるプログラム、ＯＳに供給するスクリプトデータ等の形態であってもよい。
【００６５】
プログラムを供給するための記録媒体としては種々の記録媒体を使用することができる。例えば、フロッピー（登録商標）光ディスク、ハード光ディスク、光ディスク、光磁気光ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００６６】
その他、プログラムの供給方法としては、クライアントコンピュータのブラウザを用いてインターネットのホームページに接続する。そして、前記ホームページから本発明のコンピュータプログラムそのもの、もしくは圧縮され自動インストール機能を含むファイルをハード光ディスク等の記録媒体にダウンロードすることによっても供給できる。
【００６７】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００６８】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００６９】
また、コンピュータが、読み出したプログラムを実行することによって、前述した実施の形態の機能が実現される他、コンピュータ上で稼動しているＯＳなどが、実際の処理の一部または全部を行うことによっても前述した実施の形態の機能が実現され得る。
【００７０】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施の形態の機能が実現される。
【図面の簡単な説明】
【００７１】
【図１】本発明の光ディスク装置の実施形態を示し、再生時に使用する主要な構成を示すブロック図である。
【図２】本発明の光ディスク装置の実施形態を示し、記録動作時においてＡＤＩＰアドレス検出方法を説明するために必要な主要な機能の構成例を示すブロック図である。
【図３】本発明の光ディスク装置の実施形態を示し、ＭＳＫ信号の検出を行い、ＭＳＫ信号時にはカウンターリセットや位相ロック検出、位相調整動差を行わないようにする動作を実行する機能ブロックの一例を示すブロック図である。
【図４】ＡＤＩＰアドレスを検出する方法の流れを説明する波形図である。
【図５】キャリアと入力ウォブル信号との位相を同期させる手順を説明する波形図である。
【図６】入力ウォブル信号にＭＳＫ信号が埋め込まれた箇所で発生する誤動作を防止する様子を説明する図である。
【図７】再生ＲＦ信号を用いて物理的な位置情報を検出するための再生クロックを生成する手順の概略を説明するフローチャートである。
【符号の説明】
【００７２】
１０１  光ディスク
１０２  光発生装置
１０３  光検出装置
１０４  光ピックアップ
１０５  ＲＦ検出回路
１０６  レベル調整部
１０７  低域通過フィルター
１０８  Ａ／Ｄ変換器
１０９  波形等化器
１１０  位相比較部
１１１  ループフィルター
１１２  ＶＣＯ
１１３  データ判定部
１１４  復調部
１１５  End Of Code
１１６  ウォブル検出回路
１１７  レベル調整部
１１８  ＬＰＦ
１１９  Ａ／Ｄ変換器
１２０  ＨＰＦ
１２１  ２値化回路
１２２  エッジ検出部
１２３  位相検出部
１２４  位相シフト回路
１２５キャリア生成カウンタ
１２６  キャリア発生テーブル
１２７  ＭＳＫ、ＨＭＷ（ＳＴＷ）検出用キャリア信号
１２８  アドレス検出部
【図１】
2009170004.tif 000003
【図２】
2009170004.tif 000004
【図３】
2009170004.tif 000005
【図４】
2009170004.tif 000006
【図５】
2009170004.tif 000007
【図６】
2009170004.tif 000008
【図７】
2009170004.tif 000009